(57)【特許請求の範囲】
【請求項１】
水栓本体側に接続される水栓側接続部材と、シャワーホース側に接続されるシャワーホース側接続部材とが備えられたシャワーエルボであって、前記シャワーホース側接続部材は、前記水栓側接続部材と別体に形成されるとともに、前記水栓側接続部材の軸心方向と直交する方向にその軸心方向が向けられて前記水栓側接続部材の二次側に組付けられ、
前記水栓側接続部材内および前記シャワーホース側接続部材内にまたがって減圧装置が内蔵されたことを特徴とするシャワーエルボ。
【請求項２】
前記シャワーホース側接続部材が、前記水栓側接続部材の二次側に、前記水栓側接続部材の軸心回りに回動可能に組付けられたことを特徴とする請求項１に記載のシャワーエルボ。
【請求項３】
前記水栓側接続部材の二次側に、前記シャワーホース側接続部材の流路と連通可能に設けられた周回流路が形成され、該周回流路の周回方向に沿って該周回流路の両側にシール部材が周設されたことを特徴とする請求項１または請求項２に記載のシャワーエルボ。
【請求項４】
前記シャワーホース側接続部材は、前記水栓側接続部材の主体部と、該主体部に固定される前記減圧装置のケーシングとにより挟持されて前記水栓側接続部材に回動可能に組み付けられたことを特徴とする請求項１から請求項３のいずれかに記載のシャワーエルボ。
【請求項５】
水栓本体の背面側に、給湯管、給水管にそれぞれ連通される湯側接続部、水側接続部が形成され、該湯側接続部と該水側接続部との間に、基端側が前記水栓本体の内部に形成されたシャワー流路と連通可能に設けられるともに、先端側にシャワーホースが接続可能に設けられたシャワーエルボが取り付けられたシャワーエルボを備えたシャワー水栓であって、
前記シャワーエルボには、水栓本体側に接続される水栓側接続部材と、シャワーホース側に接続されるシャワーホース側接続部材とが備えられ、前記シャワーホース側接続部材は、前記水栓側接続部材と別体に形成されるとともに、前記水栓側接続部材の軸心方向と直交する方向にその軸心方向が向けられて前記水栓側接続部材の二次側に組付けられ、前記水栓側接続部材内および前記シャワーホース側接続部材内にまたがって減圧装置が内蔵されたことを特徴とするシャワーエルボを備えたシャワー水栓。
【発明の詳細な説明】
【技術分野】
【０００１】
本発明はシャワーエルボ及びシャワーエルボを備えたシャワー水栓に関する。
【背景技術】
【０００２】
従来、シャワーホースを介してシャワーヘッドが水栓本体に接続され、使用者がシャワーヘッドを把持して所望の位置において吐水を行うことのできるハンドシャワーを備えたシャワー水栓が知られている。このハンドシャワーのシャワーホースは、シャワー水栓の水栓本体に回動自在に取り付けられたシャワーエルボを介して接続されることが多い。このようなシャワーエルボは、使用者がハンドシャワーから吐水をするに際して、シャワーヘッドを把持して所望の位置において吐水を行うのに対応して、水栓本体に接続されるシャワーホースの接続部位の向きを変更可能とし、シャワーホースの取り回しの操作性を向上させ、また、シャワーホースのねじれやキンクを防止するために用いられるものである。また、シャワー水栓の美観を損ねないようにするため、及びシャワーホースの接続部位が使用者の邪魔にならないようにするために、水栓本体の背面側や底面側にこのシャワーエルボが取り付けられることが多い。よって、このようなシャワーエルボが、水栓本体が設置される壁面やカウンターに干渉しないようにするために、「Ｌ字」状に屈曲形成されるものが多い（特許文献１参照）。
【０００３】
一方、ハンドシャワーからの吐止水操作は、基本的には水栓本体に設けられる吐止水ハンドルの操作によって行われるが、例えば、使用者が立った状態でハンドシャワーの吐止水を行いたい場合に、下方に位置する吐止水ハンドルを操作する煩雑さを解消するために、シャワーヘッド自体に吐止水弁装置を組み込み、使用者の手元での一時的なシャワーの吐止水操作を可能とする、いわゆる「ワンストップシャワー」と呼ばれるシャワー水栓が知られている。このようなシャワー水栓では、水栓本体側において吐水状態のままハンドシャワー側で吐止水を行うため、ハンドシャワー内の水圧が異常に高まってしまった場合にシャワーヘッドやシャワーホース等の損傷・劣化のおそれがある。そこで、図５及び図６に示されるように、このようなシャワー水栓１２０においては、シャワーエルボ１２２にさらに減圧装置１２４を取り付けて、ハンドシャワー側の異常高水圧を防止するように構成されるものが知られている（特許文献２参照）。
【先行技術文献】
【特許文献】
【０００４】
【特許文献１】実開昭４７−３４６２４号報（第１図、第３図）
【特許文献２】実開平６−５５８８号公報（図１、図２、図４）
【発明の概要】
【発明が解決しようとする課題】
【０００５】
しかしながら、このような従来のシャワーエルボ１２２では、以下のような問題があった。図５に示されるように、シャワーエルボ１２２に減圧装置１２４をさらに取り付けることとしているため、シャワーエルボ１２２と減圧装置１２４との全体のサイズが大きくならざるを得ず、シャワーホース５を接続する接続部位が突出するため、水栓設置の際などのシャワーホース５の接続作業が困難になったり、ハンドシャワーの使用時にシャワーホース５の取り回しが円滑に行えなかったりすることがあった。また、シャワーエルボ１２２に別途減圧装置１２４が追加されるためにシャワー水栓１２０のデザイン上の一体感が損なわれることもあった。また、シャワーエルボ１２２に減圧装置１２４を取り付けるための施行作業が追加されるため、施行作業が増えて施行コストが嵩み、また、減圧装置１２４のシャワーエルボ１２２への組み付け作業が十分ではなく、減圧装置１２４のがたつき、ゆるみ、シール不良などのおそれが増加する要因となることもあった。さらには、本来は減圧装置１２４を介してシャワーホース５をシャワーエルボ１２２に接続する必要があるところ、誤ってシャワーエルボ１２２に直接シャワーホース５を接続してしまうという施行ミスが発生する要因ともなっていた。
【０００６】
本発明は前述した従来のシャワーエルボ及びシャワーエルボを備えたシャワー水栓の問題点を解決するものであり、全体の大きさをコンパクトに抑えシャワーエルボと減圧装置とを一体化させ、設置現場での接続作業を簡略化することのできるシャワーエルボ及びシャワーエルボを備えたシャワー水栓を提供することを目的とする。
【課題を解決するための手段】
【０００７】
本発明の第一の手段は、
水栓本体側に接続される水栓側接続部材と、シャワーホース側に接続されるシャワーホース側接続部材とが備えられたシャワーエルボであって、前記シャワーホース側接続部材は、前記水栓側接続部材と別体に形成されるとともに、前記水栓側接続部材の軸心方向と直交する方向にその軸心方向が向けられて前記水栓側接続部材の二次側に組付けられ、
前記水栓側接続部材内および前記シャワーホース側接続部材内にまたがって減圧装置が内蔵されたことを特徴とするシャワーエルボである。
【０００８】
本発明では、前述のように、減圧装置をシャワーエルボに内蔵することとした。ここで、シャワーエルボ内に減圧装置を内蔵することとすると、シャワーエルボ内の流路や減圧装置の収容室が複雑な形状となり砂型鋳物などにより成型せざるを得なく製造コストが嵩む。しかしながら本発明では、水栓本体側接続部と、シャワーホース側接続部材とを別体とし、これらを組み付けることによりシャワーエルボを構成することとした。よって、水栓本体側接続部とシャワーホース側接続部材とを切削加工など簡便な加工方法により成型することができる。したがって、製造コストを増加させることなく内部に減圧装置を内蔵したコンパクトなシャワーエルボとすることができる。また、減圧装置を内蔵しているので、デザイン上の一体感を損ねがたく、従来のように設置現場においてシャワーエルボに減圧装置を取り付ける作業が必要ない。本発明では、水栓側接続部材またはシャワーホース側接続部材のいずれに減圧装置を内蔵しても良い。
【０００９】
本発明の第二の手段は、前述のシャワーエルボにおいて、
前記シャワーホース側接続部材が、前記水栓側接続部材の二次側に、前記水栓側接続部材の軸心回りに回動可能に組付けられたことを特徴とするものである。
【００１０】
このように、シャワーホース側接続部材を水栓側接続部材の軸心回りに回動可能に組み付けることにより、シャワーホース側接続部材に取付接続されるシャワーホースの取り回しをより一層容易とすることができる。
【００１３】
本発明の第三の手段は、前述の第一または第二の手段のシャワーエルボにおいて、
前記水栓側接続部材の二次側に、前記シャワーホース側接続部材の流路と連通可能に設けられた周回流路が形成され、該周回流路の周回方向に沿って該周回流路の両側にシール部材が周設されたことを特徴とするものである。
【００１４】
シール部材によってシールされた周回流路を設けることにより、水栓側接続部材とシャワーホース側接続部材とのそれぞれの流路を連通しつつ、シャワーホース側接続部材を、水栓本体側接続部の軸心回りに任意の角度位置に向けて回動させることができる。
【００１５】
本発明の第四の手段は、前述の第一から第三のいずれかの手段のシャワーエルボにおいて、
前記シャワーホース側接続部材は、前記水栓側接続部材の主体部と、該主体部に固定される前記減圧装置のケーシングとにより挟持されて前記水栓側接続部材に回動可能に組み付けられたことを特徴とするものである。
【００１６】
本発明の第五の手段は、
水栓本体の背面側に、給湯管、給水管にそれぞれ連通される湯側接続部、水側接続部が形成され、該湯側接続部と該水側接続部との間に、基端側が前記水栓本体の内部に形成されたシャワー流路と連通可能に設けられるともに、先端側にシャワーホースが接続可能に設けられたシャワーエルボが取り付けられたシャワーエルボを備えたシャワー水栓であって、前記シャワーエルボには、水栓本体側に接続される水栓側接続部材と、シャワーホース側に接続されるシャワーホース側接続部材とが備えられ、前記シャワーホース側接続部材は、前記水栓側接続部材と別体に形成されるとともに、前記水栓側接続部材の軸心方向と直交する方向にその軸心方向が向けられて前記水栓側接続部材の二次側に組付けられ、前記水栓側接続部材内および前記シャワーホース側接続部材内にまたがって減圧装置が内蔵されたことを特徴とするシャワーエルボを備えたシャワー水栓である。
【００１７】
このようにシャワーエルボ自体に減圧装置を内蔵させることにより、水栓本体の背面側に取り付けられるシャワーエルボをコンパクトにすることができ、給湯管や給水管が配設される壁面等への干渉や、湯側接続部や水側接続部に接続されるとともに給湯管や給水管に対して水栓本体を固定する接続ソケットなどへの干渉のおそれを低減することができる。
【発明の効果】
【００１８】
本発明のシャワーエルボ及びシャワーエルボを備えたシャワー水栓は前述のように構成され、減圧装置を内蔵しながら全体をコンパクトに一体化することができるので、シャワーホースの取り回しや施工を容易にすることができ、シャワーエルボを備えたシャワー水栓の利便性や設置コストの低減を行うことができる。また、デザイン上の一体感を印象づけることによりシャワーエルボを備えたシャワー水栓の美観を向上させることができる。また、切削加工などの簡便な加工方法により成型することができるので、従来のシャワーエルボに比べて製造コストが嵩むことがない。
【図面の簡単な説明】
【００１９】
【図１】本発明のシャワーエルボを備えたシャワー水栓の平面視一部破断面図である。
【図２】図１の水栓本体の側面視一部破断面図である。
【図３】図１のシャワーエルボの側面視拡大断面図である。
【図４】図１のシャワーエルボの斜視図である。
【図５】従来のシャワーエルボを備えたシャワー水栓の側面視一部破断面図である。
【図６】従来のシャワーエルボの側面視断面図である。
【発明を実施するための形態】
【００２０】
次に、本発明の実施の形態を図を参考にして詳細に説明する。図１及び図２に示されるように、本実施の形態のシャワーエルボ１は、浴室に設置されるシャワー水栓１０に取り付けられるものであり、水栓本体１２の背面側に接続されて、シャワーホース５を接続するために用いられるものである。シャワーエルボ１には、接続金具６を介して、ハンドシャワー９のシャワーホース５が接続され、シャワーホース５の先端には、ワンストップボタン８を備えたシャワーヘッド７が取り付けられている。このワンストップボタン８を操作することにより、シャワーヘッド７手元でのシャワーの一時的な吐止水を行うことができる。
【００２１】
シャワー水栓１０は、浴室の壁面Ｂの前方に設置されるものであり、壁面Ｂに対しては、カバー２に挿通されて壁面Ｂ裏側に引き回される配管の端末にソケット３ａ，３ｂを介して固定されている。シャワー水栓１０は湯水混合水栓であり、湯側のソケット３ａに接続された給湯配管から高温水が、水側のソケット３ｂに接続された給水配管から水が、それぞれ供給されて、水栓本体１２内にて混合される。なお、ソケット３ａ，３ｂは「クランク状」に屈曲形成されている。
【００２２】
水栓本体１２には、平面視左側に、水栓本体１２内の混合弁装置（図示省略）を駆動可能に構成された温度調節ハンドル１４が取り付けられている。また、平面視右側には、水栓本体１２内の切換弁装置（図示省略）を駆動可能に構成された吐水ハンドル１６が取り付けられている。また、水栓本体１２の下部には、吐水管１８が水平方向に回動自在に取り付けられている。このように構成されたシャワー水栓１２は、ソケット３ａ，３ｂを介して供給される湯・水を温度調節ハンドル１４の操作により所望の湯温に混合し、吐水ハンドル１６の操作により吐水管１８またはハンドシャワー９のいずれかへの吐水切換及び吐水量の調節をすることができるものである。そして、水栓本体１２の背面側には、水栓本体１２内部のシャワー流路２０と連通するとともにシャワーエルボ１が取り付けられるシャワーエルボ接続部２２が突設されている。
【００２３】
次いでシャワーエルボ１について詳細に説明する。図３及び図４に示されるように、シャワーエルボ１は全体が「Ｌ字」状に形成されている。このシャワーエルボ１は前述した水栓本体１２のシャワーエルボ接続部２２に接続される水栓側接続部材３０と、シャワーホース５側の端末に取り付けられた接続金具６に接続されるシャワーホース側接続部材１００とから構成されており、これらの水栓側接続部材３０とシャワーホース側接続部材１００とは別体に形成されているとともに、水栓側接続部材３０の軸心方向と直交する方向にシャワーホース側接続部材１００の軸心方向が向けられ、また、シャワーホース側接続部材１００が水栓側接続部材３０の二次側に、水栓側接続部材３０の軸心回りに回動自在に組付けられている。
【００２４】
図３に示されるように、水栓側接続部材３０の内部には、後述する減圧装置５０が内蔵されている。水栓側接続部材３０は、水栓本体１２に直接固定される主体部３１を備えており、この主体部３１は小径部３２と大径部４０とから構成されている。小径部３２には、二次側に、水栓本体１２側のシャワーエルボ接続部２２と連通可能な第一流路３３が設けられている。また、小径部３２の外周面二次側寄りに雄ねじ３４が刻設されており、この雄ねじ３４よりも二次側には周溝３６が周設され、該周溝３６には、前述した水栓本体１２のシャワーエルボ接続部２２の内周面に圧着されてシャワーエルボ接続部２２の内周面とシャワーエルボ１のシャワーホース側接続部材３０の外周面とをシールするＯリング４が装着されている。そして、小径部３２を水栓本体１２のシャワーエルボ接続部２２の任意の位置までねじ込むことにより、Ｏリング４により小径部３２とシャワーエルボ接続部２２とのシールを図りつつ、水栓側接続部材３０が水栓本体１２に接続されるように構成されている。
【００２５】
水栓側接続部材３０の大径部４０には前述の通り減圧装置５０が内蔵されている。大径部４０内には、小径部３２の第一流路３３と連通するとともに減圧装置５０の一部を収容する収容室４２が形成されている。また、大径部４０には外部と連通する空気孔４１が穿設されている。前述したように、小径部３２を水栓本体１２のシャワーエルボ接続部２２の任意の位置までねじ込むことにより、Ｏリング４により小径部３２とシャワーエルボ接続部２２とのシールを図りつつ、水栓側接続部材３０が水栓本体１２に接続されるように構成されている。よって、空気孔４１の位置を使用者から目視しやすい任意の位置、例えば、水栓本体１２上方側に向けた状態として水栓側接続部材３０を接続することも可能である。ここで、空気孔４１は、後述する第一スプリング７０及び第二スプリング７２が収容される空間Ａに連通されており、弁体６４の摺動の際に、空間Ａの空気が大径部４０外部と移動可能に設けられているが、弁体６４などが破損した場合には、空間Ａ内に流入してしまった湯水が空気孔４１から外部に噴出するように構成されており、この噴出により弁体６４等が破損していることを確認できるように設けられている。よって、例えば、使用者から目視がし易い水栓本体１２の上方側に空気孔４１を任意に位置させることができるので、このような破損確認をし易く、シャワーエルボ１の破損などを容易に把握できるように構成されている。そしてまた、大径部４０の内周面には、後述するケーシング８０が螺着される雌ねじ４４が刻設されている。
【００２６】
減圧装置５０は、前述の通り水栓側接続部材３０の収容室４２内に収容保持されている。減圧装置５０は、弁座５２と、スリーブ５６と、弁体６４とを、大径部４０の雌ねじ部４４に螺着されるケーシング８０によって収容室４２内に保持可能とするように構成されている。ゴム製の弁座５２には、湯水を流通可能な流通孔５３が開口された固定板５１が取り付けられており、この固定板５１が収容室４２の奥端面とスリーブ５６との間に挟持されることにより、弁座５２が収容室４２内に固定されている。また、収容室４２奥端側と固定板５１との間には、主体部３１の第一流路３３と連通する第二流路５４が形成されている。
【００２７】
弁座５２の二次側には円筒状のスリーブ５６が取り付けられている。スリーブ５６の一次側開口部内には、固定板５１の流通孔５３に臨み、第二流路５４と連通する第三流路５８が形成されている。また、スリーブ５６の二次側開口端面には、後述する第一スプリング７０と第二スプリング７２とがそれぞれ介挿される段部６０と第一周溝６２とが、その軸心から外側に向けて順に周設されている。
【００２８】
スリーブ５６の二次側には弁体６４が取り付けられている。弁体６４には、内部に第四流路６５を備えた円筒状の主体部６６と、この主体部６６の軸心方向における中央やや二次側寄り外周面に周設された鍔部６８とが備えられている。主体部６６の一次側は、前述したスリーブ５６内に、弁座５２に向けて摺動可能に挿通保持されている。また、鍔部６８の一次側面には、前述した第一スプリング７０と第二スプリング７２とがそれぞれ介挿される第二周溝７４と当接部７６とが、鍔部６８の軸心から径方向外側に向けて順に周設されている。弁体６４は、スリーブ５６に対して、これらの第一スプリング７０及び第二スプリング７２によって二次側に付勢可能に設けられている。
【００２９】
弁体６４の二次側にはケーシング８０が取り付けられている。ケーシング８０は二次側に底部８２を備えた有底円筒状に形成されている。ケーシング８０の一次側開口部内には、一次側から順に第一段部８４及び第二段部８６が設けられている。第一段部８４は、前述したスリーブ５６の二次側開口端面を係止可能な大きさに形成されている。また、第二段部８６は、前述した弁体６４の鍔部６８の二次側端面を係止可能な大きさに形成されている。このように構成された各段部８４，８６により、ケーシング８０が主体部３１の大径部４０内に螺着固定された際には、スリーブ５６を収容室４２内に固定し、また、第一スプリング７０及び第二スプリング７２により二次側に付勢される弁体６４を、第二段部８６とスリーブ５６の二次側端面との間において摺動可能に保持するように構成されている。
【００３０】
ここで、弁体６４は、通常は、第一スプリング７０によって底部８２方向に付勢されており、図３に示されるように、通常時には弁座５２との間に隙間が生じるように構成されている。一方、吐水ハンドル１６の操作によりハンドシャワー９からの吐水を行わせている際に、ハンドシャワー９のワンストップボタン８により吐水を停止させた場合に、減圧装置５０よりも二次側に所定以上の高水圧がかかった場合には、弁体６４の二次側にかかる水圧により、第一スプリング７０の付勢力に抗して弁体６４が弁座５２への着座方向に摺動して二次側の水圧を下げ、二次側のハンドシャワー９に損傷などの不具合が生じないように設けられている。さらにまた、このように減圧装置５０が作動し弁体６４が弁座５２に着座する際に、弁体６４が弁座５２に急に着座しないように、着座直前に第二スプリング７２が弁体６４を底部８２方向に付勢するように構成され、ウォーターハンマーの発生を低減させるように設けられている。
【００３１】
また、ケーシング８０の一次側寄り外周面には、大径部４０の雌ねじ４４に螺着可能な雄ねじ８８が形成されており、ケーシング８０を大径部４０内にねじ込むことにより固定可能とするように設けられている。また、ケーシング８０の二次側寄り外周面には凹部９０が周設されており、この凹部９０には、ケーシング８０内の第五流路８１と連通される連通孔９２が２個形成されている。また、凹部９０の両側のケーシング８０外周面には、それぞれＯリング９４ａ，９４ｂが取り付けられている。また、底部８２には、後述するシャワーホース側接続部材１００が係止可能な鍔部８３が周設されている。
【００３２】
ついで、シャワーホース側接続部材１００について説明する。シャワーホース側接続部材１００には、一次側の円筒部１０２と、この円筒部の軸心と直交する方向にその軸心が向けられて円筒部１０２と連設される二次側のホース接続部１０４とが備えられている。円筒部１０２は前後に開口された円筒状に形成されており、一端側を弁座５２方向に向け、他端側をケーシング８０の底部８２方向に向けて、大径部４０の端面とケーシング８０の底部８２の鍔部８３との間に、水栓側接続部材３０の軸心回りに回動自在に組み付けられている。
【００３３】
また、円筒部１０２は、二つのＯリング９４ａ，９４ｂをまたぐように凹部９０を覆うようにしてケーシング８０に組み付けられており、この凹部９０と円筒部１０２の内周面とにより、「周回流路」である第六流路１０６が形成されている。そして、円筒部１０２とホース接続部１０４とが連設する部位には連通孔１０８が形成されており、第六流路１０６とホース接続部１０４内の第七流路１１０とが連通されている。また、ホース接続部１０４の外周面にはシャワーホース５端末の接続金具６を螺着するための雄ねじ１１２が形成されている。
【００３４】
このように構成されたシャワーエルボ１は、弁体６４が弁座５２に着座していない状態において、第一流路３３から第七流路１１０までが連通されて、水栓本体１２からの湯水をシャワーホース５側に流通させることができる。そして、シャワーホース側接続部材１００を水栓側接続部材３０に対して別体に設けて回動自在に組み付ける構成を採用したことにより、図１及び図２に示されるように、シャワーエルボ１の突出量を、水栓本体１２の背面方向においても抑えつつ、水栓側接続部材３０の径方向においても抑えることができる。よって、減圧装置５０を備えながらも、図２に示されるように水栓本体１２背面側の壁面Ｂなどへの干渉を回避しつつ、図１に示されるようにソケット３ａ，３ｂへの干渉も避けられる。特に、施行現場においてシャワーエルボ１を水栓本体１２に接続して、さらにシャワーホース５を接続する作業において、シャワーホース５を水栓本体１２の上方・下方のいずれに引き回されるように接続する場合にも、ソケット３ａ，３ｂのいずれにも干渉されずにシャワーホース側接続部材１００を上方・下方など自由に回動させられるので、作業の容易化を図ることができる。
【００３５】
そして、別体に形成された水栓側接続部材３０とシャワーホース側接続部材１００とを一体化させているので、シャワーエルボ１の全体をコンパクトにすることができるとともに、デザイン上、両部材の一体感を高めて美観を向上させることができる。また、予め両部材を組み付けておいても前述のようにソケット３ａ，３ｂへの干渉を避けることができるので、従来とは異なり、工場出荷時に減圧装置５０を組み込んで水栓側接続部材３０とシャワーホース側接続部材１００とを一体化しておくことができる。よって、設置現場において、従来のように減圧装置をシャワーエルボに取り付ける作業の必要がない。したがって、減圧装置を取り付け忘れてシャワーホース５をシャワーエルボに直接取り付けてしまったり、減圧装置の取り付け作業に伴う作業工程の増加や、減圧装置の取り付け不良（がたつき、ゆるみ、シール不良など）などを回避することができる。
【００３６】
また、水栓側接続部材３０とシャワーホース側接続部材１００とを別体に形成しているので、減圧装置５０を収容する主体部１及びシャワーホース側接続部材１００の内部が複雑な形状となっていても、砂型鋳物などによらなくてもこれらの部品を切削加工など簡便な加工方法で形成することができ、その製造コストを低減することができる。
【００３７】
本実施の形態は前述のように構成されているが、本発明はこれに限られるものではなく、本発明の趣旨の範囲内において種々の変更が可能である。例えば、本例では、水栓側接続部材３０自体が水栓本体１２に対して回動自在に設けられているが、水栓側接続部材３０に対してシャワーホース側接続部材１００が回動自在に設けられているので、何らかの事情により水栓側接続部材３０が水栓本体１２に対して回動不能に接続される場合にも、シャワーホース５の動きに追従してシャワーホース側接続部材１００を揺動可能とすることができる。よって、シャワーホース５の取り回しや、ねじれ・キンク防止に有効である。また、トーションスプリングなどを用いてシャワーホース側接続部材１００の回動位置が所定位置に戻るように構成し、所定方向以外にもシャワーホース５を向けるようにしつつ通常時には常に所定の向きにシャワーホース５の接続部分が強制的に戻るようにすることもできる。また、回動自在に設けられたシャワーホース側接続部材１００を所定の位置に位置決め調整した後に、ネジ止めなどの固定手段により固定してしまうこともできる。また、湯水混合水栓に限らず、単水栓や浄水器付き水栓などの他の種類のシャワー水栓に用いることもできる。
【産業上の利用可能性】
【００３８】
本発明はシャワーエルボ及びシャワーエルボを備えたシャワー水栓に広く利用することができる。
【符号の説明】
【００３９】
１；シャワーエルボ、２；カバー、３ａ，３ｂ；ソケット、４；Ｏリング、５；シャワーホース、６；接続金具、７；シャワーヘッド、８；ワンストップボタン、９；ハンドシャワー、１０；シャワー水栓、１２；水栓本体、１４；温度調節ハンドル、１６；吐水ハンドル、１８；吐水管、２０；シャワー流路、２２；シャワーエルボ接続部、３０；水栓側接続部材、３１；主体部、３２；小径部、３３；第一流路、３４；雄ねじ、３６；周溝、４０；大径部、４１；空気孔、４２；収容室、４４；雌ねじ、５０；減圧装置、５１；固定板、５２；弁座、５３；流通孔、５４；第二流路、５６；スリーブ、５８；第三流路、６０；段部、６２；第一周溝、６４；弁体、６５；第四流路、６６；主体部、６８；鍔部、７０；第一スプリング、７２；第二スプリング、７４；第二周溝、７６；当接部、８０；ケーシング、８１；第五流路、８２；底部、８３；鍔部、８４；第一段部、８６；第二段部、８８；雄ねじ、９０；凹部、９２；連通孔、９４ａ，９４ｂ；Ｏリング、１００；シャワーホース側接続部材、１０２；円筒部、１０４；ホース接続部、１０６；第六流路、１０８；連通孔、１１０；第七流路、１１２；雄ねじ、１２０；シャワー水洗、１２２；シャワーエルボ、１２４；減圧装置、Ａ；空間、Ｂ；壁面。
【図１】
0005800543.tif 000002
【図２】
0005800543.tif 000003
【図３】
0005800543.tif 000004
【図４】
0005800543.tif 000005
【図５】
0005800543.tif 000006
【図６】
0005800543.tif 000007